(57)【要約】【課題】診断の対象となった医用画像に関するリンク情報と画像処理履歴情報と診断レポートとを対応付けた電子カルテを好適に作成することができる情報処理装置及び情報処理方法を提供する。【解決手段】医用画像データを記憶する画像記憶部１０４から、画像検索部１０３により画像データを検索し、画像処理部１０９で画像処理が行われ、画像表示部１１０で表示する。この際、画像リンク情報記録部１０５は、画像記憶部１０４の画像データへの画像リンク情報１０７を記録する。また、画像処理・表示手順記録部１１１は、画像データへの処理履歴情報１１２を記録する。一方、レポート入力部１０１は、表示された画像データに関するレポート情報１１３を入力する。そして、診断レポート出力部１１４が、画像リンク情報１０７と処理履歴情報１１２とレポート情報１１３とを含む診断レポート情報を出力する。【選択図】  図１
2004334789.tif 000002
【特許請求の範囲】
【請求項１】
画像データを記憶する記憶手段と、
前記記憶手段から画像データを検索する検索手段と、
前記検索手段により検索された前記画像データに対して画像処理を施す画像処理手段と、
前記画像処理手段により画像処理された前記画像データを表示する表示手段と、
前記表示手段により表示された前記画像データに関する診断情報を取得する第１の取得手段と、
前記記憶手段に記憶された前記画像データへのリンク情報を取得する第２の取得手段と、
前記画像処理手段による前記画像データへの画像処理情報を取得する第３の取得手段と、
前記リンク情報と前記画像処理情報と前記診断情報とを含む診断レポート情報を出力する出力手段と
を備えることを特徴とする情報処理装置。
【請求項２】
前記画像処理手段に前記画像データを画像処理させるための画像処理パラメータを設定する設定手段をさらに備え、
前記画像処理手段が、前記設定手段により設定された画像処理パラメータに基づく画像処理を前記画像データに施し、
前記第３の取得手段が、前記設定手段において設定された前記画像処理パラメータを前記画像処理情報として取得する
ことを特徴とする請求項１に記載の情報処理装置。
【請求項３】
前記設定手段により複数の画像処理パラメータが指定され、前記画像処理手段により前記複数の画像処理パラメータの設定順に該画像処理パラメータを用いて画像処理が行われた場合、前記第３の取得手段は、前記設定順に前記画像処理パラメータを履歴情報として取得することを特徴とする請求項２に記載の情報処理装置。
【請求項４】
前記診断レポート情報から前記診断情報と前記リンク情報と前記画像処理情報とを抽出する抽出手段と、
前記抽出手段により抽出された前記リンク情報に基づいて、前記記録手段から画像データを検索する第２の検索手段と、
前記第２の検索手段により検索された前記画像データに対して、前記画像処理情報に基づいて画像処理を行う第２の画像処理手段と、
前記画像処理後の画像データを表示する第２の表示手段と、
前記診断情報を出力する出力手段と
をさらに備えることを特徴とする請求項１から３までのいずれか１項に記載の情報処理装置。
【請求項５】
所定の秘密鍵に基づいて前記署名データを作成する署名データ作成手段と、
前記診断情報に前記署名データを付加する署名付加手段と
をさらに備えることを特徴とする請求項１から４までのいずれか１項に記載の情報処理装置。
【請求項６】
前記診断情報から付加された前記署名データを抽出する第２の抽出手段と、
前記署名データに対して、前記秘密鍵を用いて演算を行う第１の演算手段と、
前記診断情報に対して所定の演算を行う第２の演算手段と、
前記第１及び第２の演算手段の結果を比較して、署名データ付き診断レポートの改ざんを検出する検出手段と
をさらに備えることを特徴とする請求項１から５までのいずれか１項に記載の情報処理装置。
【請求項７】
画像データを記憶する記憶装置から画像データを検索する検索工程と、
前記記憶装置に記憶された前記画像データへのリンク情報を取得する第１の取得工程と、
前記検索工程により検索された前記画像データに対して画像処理を施す画像処理工程と、
前記画像処理工程による前記画像データへの画像処理情報を取得する第２の取得工程と、
前記画像処理工程により画像処理された前記画像データを表示する表示工程と、
前記表示工程により表示された前記画像データに関する診断情報を取得する第３の取得工程と、
前記リンク情報と前記画像処理情報と前記診断情報とを含む診断レポート情報を出力する出力工程と
を有することを特徴とする情報処理方法。
【請求項８】
コンピュータに、
画像データを記憶する記憶装置から画像データを検索する検索手順と、
前記記憶装置に記憶された前記画像データへのリンク情報を取得する第１の取得手順と、
前記検索手順により検索された前記画像データに対して画像処理を施す画像処理手順と、
前記画像処理手順による前記画像データへの画像処理情報を取得する第２の取得手順と、
前記画像処理手順により画像処理された前記画像データを表示する表示手順と、
前記表示手順により表示された前記画像データに関する診断情報を取得する第３の取得手順と、
前記リンク情報と前記画像処理情報と前記診断情報とを含む診断レポート情報を出力する出力手順と
を実行させるためのプログラム。
【請求項９】
請求項８に記載されたプログラムを格納したことを特徴とするコンピュータ読み取り可能な記録媒体。
【発明の詳細な説明】
【０００１】
【発明の属する技術分野】
本発明は、医用画像と診断レポートとを合成した電子カルテを表示する情報処理技術に関する。
【０００２】
【従来の技術】
近年、病院等において、医師等は、医用画像をＰＡＣＳ（Ｐｉｃｔｕｒｅ  Ａｒｃｈｉｖｉｎｇ／Ｃｏｍｍｕｎｉｃａｔｉｎｇ  Ｓｙｓｔｅｍ）を用いて表示し、患者の症状を診断することができる。このように、コンピュータを使用して診断する場合、医師等は診断対象となる画像の拡大率や画像を表示するウィンドウ情報等の各種画像処理パラメータを変更して適切な画像を作成して診断することが考えられる。また、当該医療用画像を診断したときの診断レポートも電子カルテとして電子的に作成されるようになってきている。
【０００３】
一般に、Ｘ線画像やＣＴ画像等の医用画像をモニタ等に表示させる場合、医師等は観察したい部位に応じたパラメータ等を設定して当該医用画像に画像処理を施し、処理後の画像を表示させている。すなわち、病院等において、医師等は、複数のモニタに異なるパラメータを用いて画像処理した医用画像を並べて表示したり、異なるパラメータを用いて画像処理した医用画像を１つのモニタに逐次表示し、それらの複数の画像を観察することによって患者の症状等を診断して電子カルテを作成している。そして、このようにして作成された電子カルテを後日参照する場合、観察された画像も併せて参照できるようにすることが望ましい。
【０００４】
これまでにも、画像処理装置において実行された一連の画像処理手順を記録する技術が開示されている（例えば、特許文献１参照）。特許文献１に記載の画像処理装置では、画像表示装置或いはその画像表示装置を用いた応用システム（例えば、医用画像データ通信システム等）を動作させるため、入力された一連のコマンド群を保持する機能がヒストリ機能として用いられている。
【０００５】
また、画像を観察して判断した判断過程の手順がトレース可能であり、要点を表示することができる読影手順の記憶／再生手段を有する画像表示装置に関する技術も開示されている（例えば、特許文献２参照）。特許文献２に記載の画像表示装置では、具体的に、記憶手段については、手順記憶手段が画像表示情報記憶手段により表示装置と表示画像とを関連付けて手順情報として記憶し、並べ換え情報記憶手段により表示装置に表示された画像とその画像に関連して参照され表示された参照情報とを関連付けて手順情報として記憶する。また、画像処理情報記憶手段が表示画像の表示状態を変更するためのパラメータを手順情報として記憶し、オーバーレイ情報記憶手段がオーバーレイ情報を手順情報として記憶し、レポート情報記憶手段が表示された画像に関連して入力されたレポート情報と当該画像とを関連付けて手順情報として記憶する。一方、再生手段については、手順情報読み出し手段によって記憶されている手順情報を読み出し、第１の再生手段によって選択された手順情報を表示し、第２の再生手段が手順情報判別手段により選択されなかった手順情報を選択的に表示する。特許文献２には、上述したような構成の画像表示装置が開示されている。
【０００６】
さらに、読影作業を妨げることなく、正確かつ明瞭な読影レポートを迅速に作成することができ、レポート作成時に読影中の画像を直接参照し引用することもできるようにすることを目的とした技術も開示されている（例えば、特許文献３参照）。特許文献３に記載された技術は、読影者の指示に基づいて行われる編集により逐次変化する読影中の医用画像（画像表示ウィンドウに表示）を、読影者が編集中に行う種々の指示や操作を利用したタイミングに従って、医用画像自身或いは編集内容等の医用画像の再現に必要な情報の形で、自動的にメモリに保存し、レポート表示ウィンドウに表示される読影レポートの作成時に、保存した画像及び編集内容を利用する構成を有している。
【０００７】
さらにまた、電子カルテに対して、認証データを付加して改ざん防止に利用する技術も開示されている（例えば、非特許文献１参照）。非特許文献１には、デジタル画像・電子印鑑等の法的根拠性に関する現状と課題が紹介されている。
【０００８】
【特許文献１】
特開昭６０−１９５６７４号公報
【特許文献２】
特開平６−０００１７８号公報
【特許文献３】
特開平９−１９８４５３号公報
【非特許文献１】
映像情報メディア学会誌，２００１年，Ｖｏｌ．５５，Ｎｏ２，ｐ．１９０−１９３
【０００９】
【発明が解決しようとする課題】
しかしながら、画像処理が施された医用画像を画像処理パラメータごとに各医師等が自己のコンピュータ等に保存することは、１枚の医用画像を複数の医師等が観察することを考えると膨大な記憶容量の記憶装置が必要となり、適切な処理記録方法とはいえない。すなわち、診断状況ごとに画像処理結果を保存することは、画像保存の運用を考えると、画像の重複記録や画像ヘッダの頻繁な書き換えが発生して効率的ではない。
【００１０】
また、上述した従来の技術では、複数の画像を使用して一つの診断レポートを作成するような場合は、１対１の対応付けができないので適切に記録をすることができなかった。さらに、医療訴訟の観点からは、診断した際の状況を細かに改善なく再現することや、どの画像に対してどのような画像処理が施され診断のためにどの程度の時間表示されたかといったような画像利用状況を記録しておくことも要求される。
【００１１】
本発明は、このような事情を考慮してなされたものであり、診断の対象となった医用画像に関するリンク情報と画像処理履歴情報と診断レポートとを対応付けた電子カルテを好適に作成することができる情報処理装置及び情報処理方法を提供することを目的とする。
【００１２】
【課題を解決するための手段】
上記課題を解決するため、本発明に係る情報処理装置は、画像データを記憶する記憶手段と、
前記記憶手段から画像データを検索する検索手段と、
前記検索手段により検索された前記画像データに対して画像処理を施す画像処理手段と、
前記画像処理手段により画像処理された前記画像データを表示する表示手段と、
前記表示手段により表示された前記画像データに関する診断情報を取得する第１の取得手段と、
前記記憶手段に記憶された前記画像データへのリンク情報を取得する第２の取得手段と、
前記画像処理手段による前記画像データへの画像処理情報を取得する第３の取得手段と、
前記リンク情報と前記画像処理情報と前記診断情報とを含む診断レポート情報を出力する出力手段と
を備えることを特徴とする。
【００１３】
また、本発明に係る情報処理方法は、画像データを記憶する記憶装置から画像データを検索する検索工程と、
前記記憶装置に記憶された前記画像データへのリンク情報を取得する第１の取得工程と、
前記検索工程により検索された前記画像データに対して画像処理を施す画像処理工程と、
前記画像処理工程による前記画像データへの画像処理情報を取得する第２の取得工程と、
前記画像処理工程により画像処理された前記画像データを表示する表示工程と、
前記表示工程により表示された前記画像データに関する診断情報を取得する第３の取得工程と、
前記リンク情報と前記画像処理情報と前記診断情報とを含む診断レポート情報を出力する出力工程と
を有することを特徴とする。
【００１４】
【発明の実施の形態】
以下、図面を参照して、本発明の一実施形態に係る情報処理装置について詳細に説明する。
【００１５】
＜第１の実施形態＞
図１は、本発明の第１の実施形態に係る電子カルテを作成するための情報処理装置の構成を示すブロック図である。
【００１６】
図１において、レポート入力部１０１は、テキストデータ又は音声データを入力する。これらの入力データは、医師等が診断対象となる一又は複数の画像データを観察しながら、例えば、解剖学的部位に対する病気や怪我等の症状に関する診断結果を示すレポート情報（診断情報）１１３となり、診断レポート出力部１１４に出力される。尚、本実施形態では、レポート入力部１０１からデータ入力する際に、どの画像を対象としてコメントしているかを明言する必要はない。これは、後述するように、観察している画像との対応関係は後述する画像リンク情報としてすべて記録されるためである。
【００１７】
また、画像操作入力部１０２は、画像を検索したり、それぞれの画像に対して画像処理を行うことをユーザに提供するためのユーザインタフェースとして機能する。図２は、本実施形態に係る情報処理装置の画像操作入力部１０２を実現するユーザインタフェースの構成を示す概要図である。本実施形態では、医師等は画像検索操作部１０２ａを操作して、診断しようとする患者に関する画像を検索・指定する。尚、患者名や患者ＩＤを入力することによって、その患者に対応する画像のリストを自動的に検索表示するようにしてもよい。
【００１８】
図１において、画像検索部１０３は、画像検索操作部１０２ａで指定された画像を画像記憶部１０４に記憶されている画像データ（ファイル）から検索する。すなわち、患者に関する医用画像であるＣＴ画像、Ｘ線画像等の画像データは、画像記憶部１０４に格納されている。尚、一般的には、画像記憶部１０４はネットワーク等を介した別のコンピュータに存在する場合が多い。従って、画像検索部１０３で画像データ１０６が検索された場合、検索された画像データへのＰＡＳＳ（経路情報）等の画像リンク情報（リンク情報）１０７が画像リンク情報記録部１０５で保存される。
【００１９】
メモリ１０８には、画像検索部１０３で検索され、画像記憶部１０４から読み出された画像データ１０６が展開される。また、画像処理部１０９は、メモリ１０８条に展開された画像データ１０６に対して、画像処理コマンド操作部１０２ｂによって指示された画像処理を実行する。そして、処理後の画像データが画像表示部１１０で表示される。すなわち、図２に示すユーザインタフェースにおける画像表示部１０２ｃ上に当該画像データが表示される。尚、画像処理コマンドは、周波数処理、階調処理及び画像の回転拡大等から構成され、図２に示す画像処理コマンド操作部１０２ｂに配置されたボタンの操作等によって実行可能である。
【００２０】
一方、画像処理・表示手順記録部１１１には、上記画像データ１０６に対して適用された画像処理部１０９における画像処理操作の履歴、すなわち、画像処理の種類、パラメータ（例えば、画像の表示拡大縮小率等）及び画像の表示時間等の処理履歴情報（画像処理情報）１１２が操作手順を追って記録される。
【００２１】
すなわち、本実施形態に係る情報処理装置では、画像処理部１０９に画像データを画像処理させるための画像処理パラメータを設定する画像処理コマンド操作１０２ｂをさらに備え、画像処理部１０９が、画像処理コマンド操作部１０２ｂにより設定された画像処理パラメータに基づく画像処理を画像データに施し、画像処理・表示手順記録部１０５が、画像処理コマンド操作部１０２ｂにおいて設定された画像処理パラメータを処理履歴情報１１２として取得して記録することを特徴とする。
【００２２】
尚、上記画像処理コマンド操作部１０２ｂにより複数の画像処理パラメータが指定され、画像処理部１０９により複数の画像処理パラメータの設定順に当該画像処理パラメータを用いて画像処理が行われた場合、画像処理・表示手順記録部１１１は、設定順に画像処理パラメータを処理履歴情報１１２として取得することを特徴とする。
【００２３】
さらに、診断レポート出力部１１４は、上述したレポート入力部１０１で入力されたレポート情報１０３と、画像リンク情報記録部１０５で保存されている画像リンク情報１０７と、画像処理・表示手順記録部１１１で保存されている処理履歴情報１１２とを一つのファイルとしてパックされた診断レポート情報を形成し出力する。図３は、本実施形態で形成される診断レポート情報の構造例を示す図である。尚、実際のファイル構造では、図３に示す情報以外にも、患者の個人情報（例えば、姓名、生年月日等）が付加されることもある。
【００２４】
上述したように、本実施形態に係る情報処理装置は、医用画像データを記憶する画像記憶部１０４と、画像記憶部１０４から画像データを検索する画像検索部１０３と、画像検索部１０３により検索された画像データに対して画像処理を施す画像処理部１０９と、画像処理部１０９により画像処理された画像データを表示する画像表示部１１０と、画像表示部１１０により表示された画像データに関するレポート情報１１３を入力するレポート入力部１０１と、画像記憶部１０４に記憶された画像データへの画像リンク情報１０７を取得して記録する画像リンク情報記録部１０５と、画像処理部１０９による画像データへの処理履歴情報１１２を取得し記録する画像処理・表示手順記録部１１１と、画像リンク情報１０７と処理履歴情報１１２とレポート情報１１３とを含む診断レポート情報を出力する診断レポート出力部１１４とを備えることを特徴とする。
【００２５】
ここで、上述した構成を有する本実施形態に係る情報処理装置における診断ファイル情報形成の処理手順について説明する。図４は、本発明の第１の実施形態に係る情報処理装置における診断ファイル形成手順を説明するためのフローチャートである。
【００２６】
まず、上記画像検索操作部１０２ａから所定の操作を行い、画像検索部１０３は画像記憶部１０４から診断対象となる画像データ１０６を検索する（ステップＳ４０１）。このとき、画像リンク情報１０７が画像リンク情報記録部１０５で保存される（ステップＳ４０２）。尚、画像検索部１０３で検索された画像を画像表示部１０２ｃにこの時点で表示するようにしてもよい。
【００２７】
次に、検索された画像データ１０６に対して、画像処理コマンド操作部１０２ｂから指定された画像処理が画像処理部１０９で実行される（ステップＳ１０３）。このとき、当該画像処理に関する処理履歴情報１１２が画像処理・表示手順記録部１１１に保存される（ステップＳ４０４）。尚、画像処理部１０９で処理された画像をその都度画像表示部１０２ｃに表示するようにしてもよい。そして、さらに画像処理を行う場合（ステップＳ４０５でＮｏの場合）は、再度ステップＳ４０３の処理に戻る。一方、画像処理を終了する場合（ステップＳ４０５でＹｅｓの場合）は、ステップＳ４０６に進む。
【００２８】
ステップＳ４０６では、処理後の画像を画像表示部１１０（画像表示部１０２ｃ）に表示する。次いで、レポート入力部１０１からテキストデータ又は音声データのレポート情報１１３が入力される（ステップＳ４０７）。すなわち、医師等は画像表示部１０２ｃに表示された画像を見ながら、診断レポート入力部１０２ｄから診断した結果をレポート情報１１３として入力する。
【００２９】
そして、診断レポート出力部１１４は、レポート情報１１３と処理履歴情報１１２と画像リンク情報１０７とをまとめて診断レポート情報として形成し、出力する（ステップＳ４０８）。
【００３０】
次に、上述した手順で作成された診断レポート情報を入力データとして、これらを解釈して診断レポートと共に診断画像を画像表示部１０２ｃ上に再現する場合について説明する。
【００３１】
図５は、本発明の第１の実施形態に係る診断レポート情報から画像を再生するための情報処理装置（診断レポート情報再生装置）の構成を示すブロック図である。図５において、レポートファイル入力部５０１は、図１に示す情報処理装置を用いて作成された診断レポート情報を入力する。データ解釈部５０２は、レポートファイル入力部５０２から入力された診断レポート情報をレポート情報５０３、画像リンク情報５０４及び処理履歴情報５０５に分解する。
【００３２】
次いで、画像検索部５０６は、画像リンク情報５０４を利用して画像記憶部５０７から画像データ５０８を検索する。検索された画像データはメモリ５０９上に展開される。一方、画像処理部５１０は、処理履歴情報に基づいて、メモリ５０９上に展開された画像データ５０８の画像処理を行う。そして、画像表示部５１１は処理後の画像データを表示される。尚、処理履歴情報５０５で示される画像処理手順が長い場合には、操作者が何個かの処理ステップを行った時点で処理を一時停止させるようにすることも可能である。一方、データ解釈部５０２で分解されたレポート情報５０３はそのまま診断レポート表示部５１２で表示等される。以上のような手順に従って、画像データ及びテキストデータが、図２に示すようなユーザインタフェースを使用して操作者に提供される。
【００３３】
すなわち、本実施形態に係る診断レポート情報再生装置は、上述した情報処理装置において作成された診断レポート情報からレポート情報５０３と画像リンク情報５０４と処理履歴情報５０５とを抽出し、抽出された画像リンク情報５０４に基づいて画像検索部５０６は画像記憶部５０７から画像データを検索し、検索された画像データに対して、処理履歴情報５０５に基づいて画像処理部５１０は画像処理を行い、画像処理後の画像データは画像表示部５１１で表示される。一方、レポート情報５０３は診断レポート表示部５１２で表示されることを特徴とする。
【００３４】
上述したように、本実施形態に係る情報処理装置を用いることによって、電子カルテに、画像診断が行われた際の状況を記録することが可能になる。このように、電子カルテに画像処理の状況が記憶されるので、処理後画像を別ファイルとして別途保存することなく、処理履歴情報に従って再度同様に画像処理をすることによって、医師等が実際に診断していた画像を再現することが可能になる。
【００３５】
すなわち、本実施形態に係る情報処理装置では、医師等が読影、診断した際に使用した画像をファイル名或いは画像へのポインタ等で記憶するとともに、それら使用された画像に対する画像処理動作および表示時間等が診断レポートに付加して記録管理されることを特徴とする。すなわち、従来のシステムや従来技術と大きく異なる点は、画像へのリンク（関連付け）はファイル名或いは画像へのポインタで行われる点にあることと、画像処理等の読影状況を再現するための情報（処理履歴情報）が診断レポート情報中に付加される点である。
【００３６】
＜第２の実施形態＞
本実施形態では、第１の実施形態で作成された診断レポートの改ざん検出処理を行う情報処理装置について説明する。図６は、本発明の第２の実施形態に係る情報処理装置を用いたデジタル署名を付加するプロセスを説明するための図である。図６に示すように、診断レポート情報６０１をバイナリデータと解釈してハッシュ関数６０２が適用され、その出力であるハッシュ値６０３に対して診断医の秘密鍵を使用しての演算６０４が行われ、デジタル署名６０５が計算される。
【００３７】
このデジタル署名６０５は、第１の実施形態で説明した診断レポート情報６０１に対して、後で分離可能なように付加される（以下、デジタル署名された診断レポートを「デジタル署名付き診断レポート」と称す）。すなわち、本実施形態に係る情報処理装置は、上述した第１の実施形態に係る情報処理装置に対して、さらに、所定の秘密鍵に基づいて署名データを作成し、診断レポート情報６０１に作成された署名データを付加することを特徴とする。
【００３８】
デジタル署名付き診断レポート６０６は、改ざんの可能性のある環境で保存或いは転送されて参照されることになる。図７は、本発明の第２の実施形態に係る情報処理装置を用いたデジタル署名付き診断レポートの参照の際に改ざんが行われたか否かをチェックする比較照合プロセスを説明するための図である。
【００３９】
デジタル署名付き診断レポート７０１は、診断レポート情報７０２とデジタル署名７０３とに分解される。診断レポート情報７０２は、図６と同様のハッシュ関数６０２が適用されてハッシュ値７０４を得る。デジタル署名に対しては、公開鍵による演算７０５が行われてハッシュ値７０６を得る。そして、ハッシュ値７０４とハッシュ値７０６の比較照合７０７を行い、両者が同じであれば診断レポート情報７０１には改ざんが加えられなかったことが実証される。
【００４０】
ここで使用される公開鍵は、システムが使用される病院或いは診療科等で診断業務を行い診断レポートを作成する医師が使用する個別の秘密鍵に対する共通鍵の性格を有する点が特徴である。共通鍵の性質を有することによって、例えば、医師Ａのデジタル署名を医師Ｂが公開鍵を使用して比較照合することが可能になる。
【００４１】
すなわち、本実施形態に係る情報処理装置は、上述した情報処理装置に対して、さらに、デジタル署名付き診断レポート７０１からデジタル書面７０３を抽出し、デジタル署名７０３に対して、上記秘密鍵を用いて演算を行い、診断レポート情報７０２に対して所定の演算を行い、それぞれの演算結果を比較して、署名データ付き診断レポートの改ざんを検出することを特徴とする。
【００４２】
本実施形態では、上述したように、診断レポート情報の改ざん防止、医療情報の厳格な保存という目的のために、診断レポート自身が暗号符号化されることに加えて、読影診断状況情報も暗号符号化される点に特徴がある。
【００４３】
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００４４】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）等が実際の処理の一部または全部を行い、その処理によって前述した実施形態の機能が実現される場合も含まれることは言うまでもない。
【００４５】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が実際の処理の一部または全部を行い、その処理によって前述した実施形態の機能が実現される場合も含まれることは言うまでもない。
【００４６】
本発明を上記記録媒体に適用する場合、その記録媒体には、先に説明したフローチャートに対応するプログラムコードが格納されることになる。
【００４７】
【発明の効果】
以上説明したように、本発明によれば、診断の対象となった医用画像に関するリンク情報と画像処理履歴情報と診断レポートとを対応付けた電子カルテを好適に作成することができる。
【図面の簡単な説明】
【図１】本発明の第１の実施形態に係る電子カルテを作成するための情報処理装置の構成を示すブロック図である。
【図２】第１の実施形態に係る情報処理装置の画像操作入力部１０２を実現するユーザインタフェースの構成を示す概要図である。
【図３】第１の実施形態で形成される診断レポート情報の構造例を示す図である。
【図４】本発明の第１の実施形態に係る情報処理装置における診断ファイル形成手順を説明するためのフローチャートである。
【図５】本発明の第１の実施形態に係る診断レポート情報から画像を再生するための情報処理装置の構成を示すブロック図である。
【図６】本発明の第２の実施形態に係る情報処理装置を用いたデジタル署名を付加するプロセスを説明するための図である。
【図７】本発明の第２の実施形態に係る情報処理装置を用いたデジタル署名付き診断レポートの参照の際に改ざんが行われたか否かをチェックする比較照合プロセスを説明するための図である。
【符号の説明】
１０１  レポート入力部
１０２  画像操作入力部
１０３  画像検索部
１０４  画像記憶部
１０５  画像リンク情報記録部
１０６  画像データ
１０７  画像リンク情報
１０８  メモリ
１０９  画像処理部
１１０  画像表示部
１１１  画像処理・表示手順記録部
１１２  処理履歴情報
１１３  レポート情報
１１４  診断レポート出力部
【図１】
2004334789.tif 000003
【図２】
2004334789.tif 000004
【図３】
2004334789.tif 000005
【図４】
2004334789.tif 000006
【図５】
2004334789.tif 000007
【図６】
2004334789.tif 000008
【図７】
2004334789.tif 000009